(57)【要約】【課題】  地震時の建物の層間変異による壁の破損やドア枠の変形を防止又は軽減し得るドアの耐震取付構造を提供する。【解決手段】  鋼製のドア枠の上、下枠を躯体に取付け、ドア枠の縦枠と壁との間にクリアランスを設け、そのクリアランスに弾性塞ぎ材を詰めて、縦枠と壁との間を密封して、ドアの耐震取付構造を構成した。すなわち、建具を壁から自立して躯体に取り付け、ドア枠の縦枠が壁の挙動に干渉しない取付構造とした。【選択図】  図１
2010144404.tif 000002
【特許請求の範囲】
【請求項１】
鋼製のドア枠の上、下枠を躯体に取付け、前記ドア枠の縦枠と壁との間にクリアランスを設け、そのクリアランスに耐火目地材等の弾性塞ぎ材を詰めて、前記縦枠と前記壁との間を密封してなるドアの耐震取付構造。
【請求項２】
クリアランスの寸法は、当該ドア枠が取り付けられる建物の層間変位量と等しいか又はそれよりも大きいことを特徴とする請求項１記載のドアの耐震取付構造。
【請求項３】
ドア枠の縦枠は、中空材又は裏面に開口部を有する縦枠に前記開口部を塞ぐ遮蔽板を溶接もしくは固着して実質的に中空材としたものからなることを特徴とする請求項１又は２記載のドアの耐震取付構造。
【発明の詳細な説明】
【技術分野】
【０００１】
本発明は、建物のドアの耐震取付構造に関する。
【背景技術】
【０００２】
例えば、玄関ドアを耐震性能をもって建物の駆体に取り付ける場合は、鋼製の枠材を矩形に接続してなるドア枠を躯体の開口に取り付け、そのドア枠の中に鋼製のドアを一方の縦辺を中心に回転開閉自在に吊持するのが、一般的である。
【０００３】
この場合、従来は、ドア枠の上、下枠を梁と基礎、又は上下の梁に固定し、左右の縦枠を壁又は柱に直接接続して、施工されている。
【特許文献１】特になし
【発明の開示】
【発明が解決しようとする課題】
【０００４】
従って、従来のドア枠の取付構造においては、地震などにより躯体に層間変位が生じると、建具（ドア枠とドア。以下、同じ。）と壁の地震時の挙動が異なるため、壁が破壊され、ドア枠が躯体や壁の変形に対応できなかった。そのため、地震発生時にドア枠の歪みが過度になり、住人の脱出が不可能になる状態が生じる虞があった。
【０００５】
本発明は、上記の点に鑑みてなされたものであり、解決しようとする課題は、地震時の建物の層間変異による壁の破損やドア枠の変形を防止又は軽減し得るドアの耐震取付構造を提供することにある。
【課題を解決するための手段】
【０００６】
上記課題を解決するため、本発明は、鋼製のドア枠の上、下枠を躯体に取付け、前記ドア枠の縦枠と壁との間にクリアランスを設け、そのクリアランスに耐火目地材等の弾性塞ぎ材を詰めて、前記縦枠と前記壁との間を密封して、ドアの耐震取付構造を構成した。すなわち、建具を壁から自立して躯体に取り付け、ドア枠の縦枠が壁の挙動に干渉しない取付構造とした。
【０００７】
本発明による上記ドアの耐震取付構造は、前記クリアランスの寸法を、当該ドア枠が取り付けられる建物の層間変位量と等しいか又はそれよりも大きくしたことを特徴としている。
【０００８】
本発明による上記ドアの耐震取付構造は、ドア枠の縦枠を、中空材又は裏面に開口を有する縦枠に前記開口を塞ぐ遮蔽板を溶接もしくは固着して実質的に中空材としたものにより構成したことを特徴としている。すなわち、縦枠の裏面を耐火目地材等の塞ぎ材を納め易い形状とし、かつ、縦枠に方立と同等の強度を備えた。
【発明の効果】
【０００９】
請求項１の発明によれば、鋼製のドア枠の上、下枠を躯体に取付け、ドア枠の縦枠と壁との間にクリアランスを設け、そのクリアランスに耐火目地材等の弾性塞ぎ材を詰めて、縦枠と壁との間を密封した構造であるので、建物の層間変位に対する追従性が得られ、ドアの耐震性能が向上する。すなわち、壁の層間変位をクリアランスで吸収するので、壁の破損を防止し、かつ、ドア枠の歪みやねじれを防止できる。
【００１０】
請求項２の発明によれば、クリアランスの寸法を、当該ドア枠が取り付けられる建物の層間変位量と等しいか又はそれよりも大きくしたので、本発明の効果が一層確実に奏される。
【００１１】
請求項３の発明によれば、ドア枠の縦枠を、中空材又は裏面に開口を有する縦枠に前記開口を塞ぐ遮蔽板を溶接もしくは固着して実質的に中空材としたものにより構成したので、ドア枠の縦枠が方立と同等の強度を備えるため、耐震性能が一層向上する。
【発明を実施するための最良の形態】
【００１２】
本発明は、鉄骨造、鉄筋コンクリート造等のマンションやアパート等の集合住宅のドア、特に玄関ドアの取付に適用するのに好適である。以下には、本発明を鉄筋コンクリート造の集合住宅の玄関ドアに適用した場合の実施の形態について、図面に基づいて説明する。
【００１３】
図１は本発明を玄関ドアの取付に適用した場合の玄関ドア及びその周辺の正面図、図２は図１のＡ−Ａ線に対応するドア枠の躯体に対する固定方法の一例を示す縦断面図、図３はドア枠を構成する植え枠の端面図、図４は図１のＡ−Ａ線に対応するドア枠の躯体に対する固定方法の他例を示す縦断面図、図５は図１のＢ−Ｂ線断面図、図６は縦枠の他の例を示す横断面図、図７は地震前と地震により層間変異が生じた状態を対照的に示す概念図である。
【００１４】
図において、１は基礎（又は梁。以下、同じ）、２は梁、３は柱、４はドア枠、５はドア、６は壁、７は耐火目地材などの弾性塞ぎ材である。
【００１５】
図１において、躯体イを構成する基礎１及び梁２並びに柱３は、鉄筋コンクリート造であり、それらの間に開口部８を形成しており、その開口部８に、ドア枠４とドア５からなる建具及び壁６が後述する方法により取り付けられており、ドア枠４の各縦枠と壁６の間及び壁６と各柱３の間に形成された後述されるクリアランスに弾性塞ぎ材７が詰められて、それらの間を密封してある。
【００１６】
ドア枠４は、いずれも鋼製である上枠４ａと、下枠４ｂと、左右の縦枠４ｃ，４ｄとを矩形の枠体に接続（溶接又は固着）してなっている。そして、ドア枠４を開口部８に嵌合し、上枠４ａと下枠４ｂとをそれぞれ上梁２及び基礎１に固定して、ドア枠４が躯体イに取り付けられている。上枠４ａと下枠４ｂとを上梁２及び基礎１に固定する方法は、鉄筋コンクリートに対する既知の固定方法である乾式工法と湿式工法のいずれを採用しても良いが、図２は、乾式工法の一例を採用した場合の縦断面図である。図４は、乾式工法の他例を採用した場合の縦断面図である。
【００１７】
図示の実施の形態においては、ドア枠４を構成する上枠４ａ、下枠４ｂ、左右の縦枠４ｃ，４ｄに、マンション以外の住宅用玄関に取り付けられるドア枠を構成する上枠、下枠、左右の縦枠とそれぞれ同一の断面形状を有するものが用いられている。すなわち、各枠４ａ、４ｂ、４ｃ，４ｄは、ドア枠４が開口部８に取り付けられた状態においてその開口部の中央に対して裏面側に開口する非中空材で形成されている。上枠４ａと下枠４ｂは、同一断面形状を有するものを上下対称形に配置され、左右の縦枠４ｃ，４ｄは、別の同一断面形状を有するものを左右対称形に配置されている。
【００１８】
上、下枠の代表として上枠４ａの形状をさらに詳述すると、上枠４ａは、図３に示すように、室内側裏面横壁４１、室内側縦壁４２、室内側表面横壁４３、中間段壁４４、室外側表面横壁４５、室外側縦壁４６、室外側裏面横壁４７、室外側裏面縦壁４８を一体に有し、室内側裏面横壁４１と室外側裏面縦壁４８との間に開口４９を有している。室内側裏面横壁４１と室外側裏面横壁４７は、共通の水平面上に存在する。
【００１９】
上記形状の上枠４ａを乾式工法により躯体イに取り付けるため、図２に示すように、水平壁９ａと、その水平壁の両端部から同一方向に若干の差をもって延出する室内側縦壁９ｂと室外側縦壁９ｃとを有する長尺の上部アタッチメント９を、水平壁９ａの中央に形成してある孔(図示せず)に上梁２の下面の室外側付近に突設されている植込みボルト１０を挿通し、その上部アタッチメント９の下方側からそのボルト１０にナット１１を締め付けることにより、アタッチメント９を上梁２に固定してある。
【００２０】
また、上記形状の下枠４ｂを乾式工法により躯体イに取り付けるため、図２に示すように、上部アタッチメント９と同一形状の下部アタッチメント９’を上部アタッチメント９と上下対称形に配置して、水平壁９ａの中央に形成してある孔(図示せず)に基礎１の上面に植込みボルト１０と共通の垂直線に沿って突設された植え込みボルト１０’を挿通し、その下部アタッチメント９’の上方側からそのボルト１０’にナット１１’を締め付けることにより、下部アタッチメント９’を基礎１に固定してある。
【００２１】
そして、矩形のドア枠４を屋外側から躯体イの開口部８に嵌合し、そのドア枠の上枠４ａは、その室内側縦壁４２の上端部を上部アタッチメント９の室内側縦壁９ｂの室外面に当接するとともに、室外側裏面縦壁４８を上部アタッチメント９の室外側縦壁９ｃの室外面に当接して、それらの当接部分に室内側及び室外側からそれぞれネジ１２をねじ込んで、ドア枠の上枠４ａを上部アタッチメント９を介して上梁２に固定している。ドア枠４の下枠４ｂも、上枠の場合と同じ要領で、下部アタッチメント９’を介して基礎１に固定している。
【００２２】
上枠４ａ及び下枠４ｂを躯体イに取り付けるには、図４に示すように、従来工法と同様に、ドア枠４を躯体イの開口部８に嵌合するとともに、上枠４ａの開口４９には上梁２の下面に突設した差し筋１３の下端部を挿入し、かつ、下枠４ｂの開口４９には基礎１の上面に突設した差し筋１３’の上端部を挿入した後、予め上枠４ａ及び下枠４ｂの溝部に装着しておいたアンカー１４，１４’の幅方向両側部分を上、下枠４ａ，４ｂの室内側裏面横壁４１及び室外側裏面横壁４７の内面に当接した状態で、各アンカー１４，１４’を差し筋１３，１３’に溶接することにより、上、下枠４ａ，４ｂを躯体イに固定してもよい。
【００２３】
ドア枠４の上枠４ａ及び下枠４ｂが上述のように躯体イに取り付けられるのに対して、ドア枠４の左右の縦枠４ｃ，４ｄは、図５に示すように、躯体イに直接固定されずに、壁６又は柱３から縁を切って取り付けられる。すなわち、壁６又は柱３との間にクリアランス１５を設け、そのクリアランスに弾性塞ぎ材１６を詰めて、縦枠４ｃ，４ｄと壁６又は柱３との間を密封することにより取り付けられている。クリアランス１５の幅Ｃは、地震による建物の層間変異量ｄと等しいか、それよりも大きく設定されている。
弾性塞ぎ材１６は、既知の耐火目地材、その他の同等の耐火性・防水性を有し、外力吸収能を有するものなどを使用することができる。
【００２４】
そして、本発明によるドア枠は、壁６又は柱３と縁を切って取り付けられ、縦枠４ｃ，４ｄと壁６又は柱３の間に弾性塞ぎ材１６を納めるので、縦枠４ｃ，４ｄはその弾性塞ぎ材１６を納め易い形状とすることが望ましい。また、本発明によるドア枠は、壁６又は柱３と縁を切って取り付けられるので、縦枠４ｃ，４ｄは、層間変位による外力に耐え得る強度を有する構造を備えることが望ましい。
そのため、縦枠４ｃ，４ｄは、図５に示すように、従来の非中空材である縦枠４ｃ´，４ｄ´の裏面Ｉに、開口を塞ぐように遮蔽材１７を溶接又は固着して、実質的な中空材を形成し、その中空材を縦枠４ｃ，４ｄとして用いている。このように従来の非中空材を利用することにより、本発明の実施のために中空材を新規に製造する場合に比し、コスト削減効果が得られる。そして、遮蔽材を付加した実質的な中空材を用いるので、縦枠４ｃ，４ｄと壁６との間に弾性塞ぎ材を納め易くなるとともに、縦枠４ｃ，４ｄは地震発生時の層間変位による荷重に十分耐え得る強度を有するため、ドア枠の変形の防止又は軽減が可能である。
【００２５】
従来の非中空材である縦枠の開口を遮蔽する遮蔽材は、図５に示すものに限られず、図６(ａ)に符号１７´で示すように、開口を外側から遮蔽する形状のものとしてもよい。
さらに、ドア枠の縦枠４ｃ，４ｄには、従来の非中空材を用いることに代えて、図６（ｂ）に示すように、新規に製造される中空材を用いても良い。ドア枠の上、下枠４ａ，４ｂについても同様である。このように、ドア枠全体が中空材で構成される場合は、最大の強度を備えることができ、耐震性能に最も優れるドアの耐震取付構造を提供することができる。
【００２６】
なお、壁６は、プレキャストコンクリート（ＰＣ）板又は鉄筋コンクリート（ＲＣ）板で形成され、周知の工法により梁２と基礎１に固定されている。その場合、ドア枠４及び柱３との間には所要のクリアランス１６が設けられることは既述の通りである。また、かく壁６の下端と基礎１との間にも所要のクリアランスを設け、そのクリアランスに弾性塞ぎ材を詰めることが望ましい。
【００２７】
図２，４，５において、１８は外装材、１９はドア枠の外周と外装材１８又は基礎１との間に充填されたシール材、２０は玄関の額縁、２１は玄関の土間材である。
【００２８】
上記のドア取付構造により、正常状態では、すなわち地震前は、図７（ａ）に示すようにドア枠４、ドア５、壁６及び塞ぎ材１６がいずれも鉛直状態の姿勢を保持している。そして、地震により層間変位が生じた場合は、図７（ｂ）に示すように、その層間変位はクリアランス１５に設けてある弾性塞ぎ材１６により吸収されるため、壁６が破損することが防止され、その壁６とドア枠４が物理的に絶縁されているため、壁６からドア枠４に荷重が加わらないので、層間変位によるドア枠４の変形量が最小限に止められる。
【図面の簡単な説明】
【００２９】
【図１】本発明を玄関ドアの取付に適用した場合の玄関ドア及びその周辺の正面図。
【図２】図１のＡ−Ａ線に対応するドア枠の躯体に対する固定方法の一例を示す縦断面図。
【図３】ドア枠を構成する植え枠の端面図。
【図４】図１のＡ−Ａ線に対応するドア枠の躯体に対する固定方法の他例を示す縦断面図。
【図５】図１のＢ−Ｂ線断面図。
【図６】縦枠の他の例を示す横断面図。
【図７】地震前と地震により層間変異が生じた状態を対照的に示す概念図。
【符号の説明】
【００３０】
１    基礎（梁）
２    梁
３    柱
４    ドア枠
４ａ    上枠
４ｂ    下枠
４ｃ，４ｄ    縦枠
５    ドア
６    壁
７    塞ぎ材
８    開口部
９    アタッチメント
１５  クリアランス
１６  塞ぎ材
１７  遮蔽板
【図１】
2010144404.tif 000003
【図２】
2010144404.tif 000004
【図３】
2010144404.tif 000005
【図４】
2010144404.tif 000006
【図５】
2010144404.tif 000007
【図６】
2010144404.tif 000008
【図７】
2010144404.tif 000009